(57)【要約】冷蔵庫の機械室カバーは、複数のガイド部（４８２）、および、ガイド部（４８２Ｘ）とガイド部（４８２Ｘ）に隣接するガイド部（４８２Ｙ）との間に設けられた第１開口部（４８１）を有する第１プレートと、複数の板状部（４９２）、および、板状部（４９２Ｘ）と板状部（４９２Ｘ）に隣接する板状部（４９２Ｙ）との間に設けられた第２開口部（４９１）を有する第２プレートとを備える。ガイド部（４８２Ｘ）の一端は、板状部（４９２Ｘ）の一端に近接している。ガイド部（４８２Ｘ）の他端と、板状部（４９２Ｘ）に隣接する板状部（４９２Ｙ）の他端との間には、第１の所定の間隔が形成されている。第１開口部（４８１）の上方は、板状部（４９２Ｘ）とガイド部（４８２Ｘ）とで覆われている。第２開口部（４９１）の下方は、ガイド部（４８２Ｘ）で覆われている。
2018173988.tif 000002
【特許請求の範囲】
【請求項１】
複数のガイド部、および、前記複数のガイド部のうちの隣り合うガイド部間に設けられた複数の第１開口部を有する第１プレートと、
複数の板状部、および、前記複数の板状部のうちの隣り合う板状部間に設けられた複数の第２開口部を有する第２プレートとを備え、
前記複数のガイド部それぞれは、一端が、前記複数の板状部それぞれの一端に近接するよう配置され、
前記複数のガイド部それぞれは、他端と、前記複数の板状部それぞれの他端との間に、第１の所定の間隔を有するよう配置され、
前記複数の第１開口部それぞれの上方は、前記複数の板状部のうちの少なくとも一つ、および、前記複数のガイド部のうちの少なくとも一つで覆われ、
前記複数の第２開口部それぞれの下方は、前記複数のガイド部のうちの少なくとも一つで覆われる、
機械室カバー。
【請求項２】
前記複数のガイド部それぞれの前記一端は、前記第１プレートの前方側に位置する前方端であり、
前記複数のガイド部それぞれの前記他端は、前記第１プレートの後方側に位置する後方端であり、
前記複数の板状部それぞれの前記一端は、前記第２プレートの後方側に位置する後方端であり、
前記複数の板状部それぞれの前記他端は、前記第２プレートの前方側に位置する前方端であり、
前記複数のガイド部における隣り合うガイド部のうちの、前記第１プレートの前方側に位置するガイド部の前記前方端は、前記複数の板状部における隣り合う板状部のうちの、前記第２プレートの前方側に位置する板状部の前記前方端より、前記隣り合う板状部のうちの前記第２プレートの前方側に位置する板状部の前記後方端寄りに位置し、
前記複数のガイド部における隣り合うガイド部のうちの前記第１プレートの前方側に位置するガイド部の前記後方端は、前記複数の板状部の隣り合う板状部のうちの前記第２プレートの後方側に位置する板状部の前記前方端より、前記第２プレートの後方側に位置する前記板状部の前記後方端寄りに位置する、
請求項１に記載の機械室カバー。
【請求項３】
前記複数のガイド部それぞれの前記一端と、前記複数の板状部それぞれの前記一端との間には、第２の所定の間隔が形成され、
前記第１の所定の間隔は、前記第２の所定の間隔より大きい、
請求項１または２のいずれか１項に記載の機械室カバー。
【請求項４】
前記複数の板状部それぞれの前記他端は、その一部が前記複数の板状部それぞれの前記一端側に折り返されて形成された湾曲部を有する、
請求項１〜３のいずれか１項に記載の機械室カバー。
【請求項５】
通気開口部を有するカバー部材をさらに備え、
前記第１プレートは、前記第２プレートを介して、前記カバー部材に保持され、
前記第１プレートおよび前記第２プレートの周囲部は、前記カバー部材に覆われる、
請求項１〜４のいずれか１項に記載の機械室カバー。
【請求項６】
前記第１プレートおよび前記第２プレートは、金属で形成された、
請求項１〜５のいずれか１項に記載の機械室カバー。
【請求項７】
断熱箱体と、
前記断熱箱体の背面上部に設けられた段差に配置された機械室と、
前記機械室内に配置された、圧縮機および送風部と、
前記機械室の少なくとも一部を覆う機械室カバーとを備え、
前記機械室カバーは、請求項１〜６のいずれか１項に記載の機械室カバーである冷蔵庫。
【発明の詳細な説明】
【技術分野】
【０００１】
本開示は、機械室を覆う機械室カバーを有する冷蔵庫に関する。
【背景技術】
【０００２】
上面後端部に機械室が設けられた冷蔵庫がある。この種の冷蔵庫は、機械室を覆うカバーを備えている（例えば、特許文献１参照）。【０００３】
図１１は、従来の冷蔵庫の背面斜視図である。図１１に示すように、カバー１４２の上板および背板には、放熱のために複数の通気口１４３，１４４がそれぞれ設けられている。上板に開口した通気口１４３は、吸気口として構成され、背板に開口した通気口１４４は、排気口として構成されている。【０００４】
しかしながら、上記のような従来の構成では、埃などが、通気口１４３を介して、機械室に入るという課題がある。
【先行技術文献】
【特許文献】
【０００５】
【特許文献１】特開２００１−９９５５２号公報
【発明の概要】
【０００６】
本開示は、上記のような従来の課題を解決するもので、通気口からの埃などの進入を抑制する機械室カバーを備えた冷蔵庫を提供する。
【０００７】
具体的には、本開示の一例による冷蔵庫の機械室カバーは、複数のガイド部、および、複数のガイド部のうちの隣り合うガイド部間に設けられた複数の第１開口部を有する第１プレートと、複数の板状部、および、複数の板状部のうちの隣り合う板状部間に設けられた複数の第２開口部を有する第２プレートとを備える。複数のガイド部それぞれは、一端が、複数の板状部それぞれの一端に近接するよう配置されている。また、複数のガイド部それぞれは、他端と、複数の板状部それぞれの他端との間に、所定の間隔を有するよう配置されている。複数の第１開口部それぞれの上方は、複数の板状部のうちの少なくとも一つ、および、複数のガイド部のうちの少なくとも一つで覆われている。また、複数の第２開口部それぞれの下方は、複数のガイド部のうちの少なくとも一つで覆われている。
【０００８】
このような構成により、簡単な構成で、通気口から機械室への埃などの進入を抑制する機械室カバーを提供できる。また、このような構成により、第１開口部の上方および第２開口部の下方を確実に覆うことができるので、埃などの進入を抑制できる。
【０００９】
また、本開示の一例による冷蔵庫の機械室カバーにおいて、複数のガイド部それぞれの一端は、第１プレートの前方側に位置する前方端であってもよく、複数のガイド部それぞれの他端は、第１プレートの後方側に位置する後方端であってもよい。また、本開示の一例による冷蔵庫の機械室カバーにおいて、複数の板状部それぞれの一端は、第２プレートの後方側に位置する後方端であってもよく、複数の板状部それぞれの他端は、第２プレートの前方側に位置する前方端であってもよい。また、本開示の一例による冷蔵庫の機械室カバーにおいて、複数のガイド部における隣り合うガイド部のうちの第１プレートの前方側に位置するガイド部の前方端は、複数の板状部における隣り合う板状部のうちの第２プレートの前方側に位置する板状部の前方端より、隣り合う板状部のうちの第２プレートの前方側に位置する板状部の後方端寄りに位置していてもよい。また、本開示の一例による冷蔵庫の機械室カバーにおいて、複数のガイド部における隣り合うガイド部のうちの第１プレートの前方側に位置するガイド部の後方端は、複数の板状部の隣り合う板状部のうちの第２プレートの後方側に位置する板状部の前方端より、第２プレートの後方側に位置する板状部の後方端寄りに位置していてもよい。
【００１０】
また、本開示の一例による冷蔵庫の機械室カバーにおいて、ガイド部は、その一端と板状部の一端との間に、第２の所定の間隔が形成されていてもよい。この場合、第１の所定の間隔は、第２の所定間隔より大きくなるよう設定されていてもよい。
【００１１】
このような構成により、板状部とガイド部との間の間隔を大きくできるので、機械室カバーを通過する空気の通風抵抗を抑制できる。
【００１２】
また、本開示の一例による冷蔵庫において、板状部は、その他端に、板状部が板状部の一端側に折り返された湾曲部を有していてもよい。
【００１３】
このような構成により、人の手指などが、板状部の端部に触れて、傷つくことを防止できる。
【００１４】
また、本開示の一例による冷蔵庫の機械室カバーは、通気開口部を有するカバー部材を備えていてもよい。この場合、第１プレートは、第２プレートを介して、カバー部材に保持されていてもよい。また、この場合、第１プレートと第２プレートの周囲部は、カバー部材に覆われていてもよい。
【００１５】
このような構成により、人の手指などが、第１プレートまたは第２プレートの周囲部に触れて、傷つくことを防止できる。
【００１６】
また、本開示の一例による冷蔵庫の機械室カバーにおいて、第１プレートおよび第２プレートは、金属で形成されていてもよい。
【００１７】
このような構成により、加工容易となり、製造コストを抑制できる。
【００１８】
また、本開示の一例による冷蔵庫は、断熱箱体と、断熱箱体の背面上部に設けられた段差に配置された機械室と、機械室内に配置された圧縮機および送風部と、機械室の少なくとも一部を覆う機械室カバーとを備える。機械室カバーは、少なくとも上記いずれか１つの特徴を有する機械室カバーで構成されていてもよい。
【００１９】
このような構成により、簡単な構成で、通気口から機械室への埃などの進入を抑制する機械室カバーを有する冷蔵庫を提供できる。
【図面の簡単な説明】
【００２０】
【図１】図１は、本開示の実施の形態の一例による冷蔵庫の上部の縦断面図である。
【図２】図２は、本開示の実施の形態の一例による冷蔵庫の上部機械室側の斜視図である。
【図３】図３は、本開示の実施の形態の一例による冷蔵庫の上部機械室の機械室カバーが外された状態の斜視図である。
【図４】図４は、本開示の実施の形態の一例による冷蔵庫の機械室カバーの風上カバーの部分斜視図である。
【図５】図５は、本開示の実施の形態の一例による冷蔵庫の機械室カバーの風上カバーの上面側から見た分解斜視図である。
【図６】図６は、本開示の実施の形態の一例による冷蔵庫の機械室カバーの第１プレートの上面側から見た斜視図である。
【図７】図７は、本開示の実施の形態の一例による冷蔵庫の機械室カバーの第２プレートの上面側から見た斜視図である。
【図８】図８は、本開示の実施の形態の一例による冷蔵庫の機械室カバーのカバー部材の下面側から見た分解斜視図である。
【図９】図９は、本開示の実施の形態の一例による冷蔵庫の機械室カバーのカバー部材の図４の９−９線における断面斜視図である。
【図１０】図１０は、本開示の実施の形態の一例による冷蔵庫の機械室カバーのカバー部材の要部断面図である。
【図１１】図１１は、従来の冷蔵庫の背面側から見た斜視図である。
【発明を実施するための形態】
【００２１】
以下、本開示の実施の形態の例を、図面を参照しながら説明するが、以下の実施の形態によって本開示が限定されるものではない。
【００２２】
（実施の形態）
図１は、本開示の実施の形態の一例による冷蔵庫上部の縦断面図である。図２は、本開示の実施の形態の一例による冷蔵庫の上部機械室側の斜視図である。図３は、本開示の実施の形態の一例による冷蔵庫の上部機械室の機械室カバーが外された状態の斜視図である。
【００２３】
図１に示すように、冷蔵庫３０の断熱箱体３１は、主に鋼板が用いられた外箱３２と、ＡＢＳ樹脂などの樹脂で成型された内箱３３とで構成されている。断熱箱体３１の内部には、断熱材として、例えば硬質発泡ウレタンなどの発泡断熱材３４が充填されている。このような構成により、庫内と周囲とを断熱している。さらに、発泡断熱材３４に埋設する形で、外箱３２の内側に発泡断熱材３４よりも断熱性能の高い真空断熱材３５が貼り付けられている。このような構成により、断熱箱体３１の断熱性能を高めることができる。断熱箱体３１の背面上部には、天面後端部と背面上端部とが冷蔵庫３０庫内側に凹ませて形成された空間が設けられている。この空間に、上部機械室３６が配設されている。
【００２４】
図１および図２に示すように、上部機械室３６の上面側と背面側とは、機械室カバー４２によって、覆われている。機械室カバー４２は、中央部を覆う鋼板で構成された中央カバー４３と、送風機３８に対し風上側に設置された風上カバー４４と、風下側に設置された風下カバー４５とからなる。
【００２５】
図３に示すように、上部機械室３６の内部には、風上から（図面手前側から）順に、空冷凝縮器３７、送風機３８および圧縮機３９が設置されている。送風機３８を駆動することにより、空冷凝縮器３７および圧縮機３９が空冷される。
【００２６】
送風機３８は、送風機固定部材４０に取り付けられている。送風機固定部材４０は、上部機械室３６内の風路を、送風機３８の風上側と風下側に区分している。また、空冷凝縮器３７の上部には、空冷凝縮器３７を通過せずに送風機３８に直接吸入される外気が通過するバイパス風路４１が設けられている。なお、バイパス風路４１は、空冷凝縮器３７に埃が付着するなどによって閉塞した場合に、外気を直接、送風機３８に供給するものである。バイパス風路４１は、空冷凝縮器３７の１０％〜１５％程度の高さに相当する５〜１５ｍｍの空間を有することが望ましい。バイパス風路４１の高さが５ｍｍ（１０％）未満では、空冷凝縮器３７が完全に閉塞した場合に、風量低下が著しく、バイパス風路４１の高さが１５ｍｍ（１５％）より高いと、空冷凝縮器３７を通過する風量が低下して、十分な放熱能力が得られない。
【００２７】
このように、空冷凝縮器３７が閉塞した場合を想定した構造を有することで、一般家庭などにおいてメンテナンスが行われない状況でも、長期にわたって冷蔵庫３０の信頼性を確保することができる。
【００２８】
次に、風上カバー４４および風下カバー４５の詳細について、以下に説明する。風下カバー４５は、風上カバー４４と略左右対称に構成されているため、本実施の形態では、風上カバー４４を例として説明する。
【００２９】
図４は、本開示の実施の形態の一例による冷蔵庫の機械室カバーの風上カバーの部分斜視図である。図５は、本開示の実施の形態の一例による冷蔵庫の機械室カバーの風上カバーの上面側から見た分解斜視図である。図６は、本開示の実施の形態の一例による冷蔵庫の機械室カバーの第１プレートの上面側から見た斜視図である。図７は、本開示の実施の形態の一例による冷蔵庫の機械室カバーの第２プレートの上面側から見た斜視図である。図８は、本開示の実施の形態の一例による冷蔵庫の機械室カバーのカバー部材の下面側から見た分解斜視図である。図９は、本開示の実施の形態の一例による冷蔵庫の機械室カバーのカバー部材の図４の９−９線における断面斜視図である。図１０は、本開示の実施の形態の一例による冷蔵庫のカバー部材の要部断面図である。図９および図１０において、紙面左側が、冷蔵庫３０の前面側である。
【００３０】
風上カバー４４は、主にベース部材４６と、カバー部材４７とからなる。ベース部材４６は、射出成形で形成された略Ｌ字状の樹脂製の部材である。ベース部材４６は、難燃性の樹脂製であることが望ましいが、非難燃性の樹脂製でもよい。ベース部材４６は、天面部４６１と、背面部４６２と、天面部４６１と背面部４６２との角部に設けられ、冷蔵庫３０を運搬するときに作業者が握るための運搬用把持部４６３とを備えている。天面部４６１の奥側および背面部４６２の上側は、冷蔵庫内側に凹んでおり、運搬用把持部４６３を握る掌が入る空間が形成される。
【００３１】
天面部４６１は、上部機械室３６の上面側に位置する。図５のように、天面部４６１は、複数の天面通気孔４６１ａを備えている。天面通気孔４６１ａは、天面部４６１の捻りおよび引張り強度を確保する最低限の面積を残し、一つ一つの孔の大きさができるだけ大きくなる形状を有する。天面通気孔４６１ａは、例えば、天面部４６１の外周の対辺同士を繋ぐ、幅１５ｍｍ程度の桟を残し、四角形状の孔を、風上カバー４４（図４参照）の長手方向（冷蔵庫３０の奥行方向）に４個、短手方向（冷蔵庫３０の幅方向）の４個の計１６個、設けられる。天面通気孔４６１ａの長手方向は、風上カバー４４の長手方向と略平行である。
【００３２】
背面部４６２は、複数の背面通気孔４６２ａを備えている。背面通気孔４６２ａは、幅５ｍｍ程度の複数のスリットで構成されている。背面通気孔４６２ａの長手方向は、風上カバー４４の短手方向と略平行である。
【００３３】
上部機械室３６内には、天面通気孔４６１ａ、または、背面通気孔４６２ａを介して、外部の空気が取り込まれることができる。
【００３４】
カバー部材４７は、第１プレート４８と第２プレート４９とを備える。カバー部材４７は、天面部４６１を覆う位置に取り付けられる。カバー部材４７に設けられたフック形状の爪が、天面部４６１に設けられた取付孔に嵌め込まれることで、カバー部材４７は、ベース部材４６に固定される。なお、カバー部材４７は、ベース部材４６にビスで固定されてもよい。
【００３５】
カバー部材４７は、枠部４７１と、枠部４７１の中央部に設けられた通気開口部４７２とを備えている。カバー部材４７は、射出成形で形成された樹脂製の部材で構成されている。カバー部材４７は、例えば、難燃性の樹脂製で構成される。枠部４７１は、その周囲に、下面側に突出する外リブ部４７３を備える。外リブ部４７３は、カバー部材４７の捻りおよび引張り強度を確保している。通気開口部４７２は、冷蔵庫３０の正面側の幅が狭い、略凸形状の孔である。通気開口部４７２には、第１プレート４８と第２プレート４９とが配置される。
【００３６】
図６に示すように、第１プレート４８は、通気開口部４７２の略凸形状に応じた、略凸形状の金属板で構成されている。第１プレート４８の略凸形状の突出部分は、冷蔵庫３０の正面側に位置する。第１プレート４８は、例えば、一枚の金属製の板からプレス加工により成形される。第１プレート４８は、複数の第１開口部４８１と、第１開口部４８１同士の間に設けられたガイド部４８２とを備えている。第１開口部４８１の長手方向は、第１プレート４８の短手方向（冷蔵庫３０の幅方向）と略平行である。第１プレート４８の形状に応じて、複数の第１開口部４８１のうちの一部の第１開口部４８１長手方向の長さは、他の第１開口部４８１の長手方向の長さより短い。本実施の形態では、第１プレート４８は、７個の長さの長い第１開口部４８１、および、２個の長さの短い第１開口部４８１の計９個の第１開口部４８１を備えている。
【００３７】
第１プレート４８は、複数のガイド部４８２を備えている。ガイド部４８２は、第１開口部４８１同士の間に設けられた平面部４８２ａと、平面部４８２ａの一端から傾斜して立ち上がる傾斜部４８２ｂとからなる。第１プレート４８の傾斜部４８２ｂの上端には、屈曲部４８２ｂ１が設けられている。屈曲部４８２ｂ１は、図１０に示すように、平面部４８２ａと略平行な面である。また、屈曲部４８２ｂ１は、傾斜部４８２ｂの上端から、平面部４８２ａが設けられた側と反対側に伸延する。傾斜部４８２ｂと屈曲部４８２ｂ１とは、プレス加工前に第１開口部４８１に位置していた金属板を曲げて成形される。
【００３８】
ガイド部４８２の長手方向は、第１プレート４８の短手方向と略平行である。第１プレート４８の形状に応じて、複数のガイド部４８２のうちの一部のガイド部４８２の長手方向の長さは、他のガイド部４８２の長手方向の長さより短い。本実施の形態では、第１プレート４８は、６個の長さの長いガイド部４８２、および、２個の長さの短いガイド部４８２の計８個のガイド部４８２を備えている。第１プレート４８は、長手方向の両端の中央部に、それぞれに第１孔４８３を備えている。
【００３９】
図７に示すように、第２プレート４９は、第１プレート４８と略同一形状の金属板で構成されている。第２プレート４９は、例えば、一枚の金属製の板からプレス加工により成形される。第２プレート４９は、複数の第２開口部４９１と、第２開口部４９１同士の間に設けられた板状部４９２とを備えている。板状部４９２の短手方向の端部の一端には、図１０に示すように、略円弧状に下面側に折り曲げられた湾曲部４９２１が設けられている。湾曲部４９２１が設けられる側は、図８に示すように、板状部４９２の、第２プレートの凸形状の突出部分が設けられた側である。
【００４０】
第２開口部４９１の長手方向は、第２プレート４９の短手方向（冷蔵庫３０の幅方向）と略平行である。第２プレート４９の形状に応じて、複数の第２開口部４９１のうちの一部の第２開口部４９１の長手方向の長さは、他の第２開口部４９１の長手方向の長さより短い。本実施の形態では、第２プレート４９は、７個の長さの長い第２開口部４９１、および、１個の長さの短い第２開口部４９１の計８個の第２開口部４９１を備えている。第２プレート４９は、６個の長さの長い板状部４９２、および、１個の長さの短い板状部４９２の計７個の第２開口部４９１を備えている。
【００４１】
第２プレート４９は、図７および図８に示すように、長手方向の両端のそれぞれに略Ｌ字状の段差部４９３を備えている。段差部４９３は、第２プレート４９の端部から略直角に第１プレート４８側に伸延する第１伸延部４９３ａと、第１伸延部４９３ａから略直角に第２プレート４９の外側に向かって伸延する第２伸延部４９３ｂとを備える。第２伸延部４９３ｂの中央部には、第２孔４９４が設けられている。
【００４２】
第２プレート４９の第２伸延部４９３ｂの下面（第１プレート４８側の面）と、第１プレート４８の上面（第２プレート４９側の面）とが密着するように、第１プレート４８と第２プレート４９とは重ね合わされる（図８参照）。図８に示すように、第１プレート４８と第２プレート４９とは、第１孔４８３と第２孔４９４とを貫通するビス５０で、カバー部材４７に下面側から固定される。
【００４３】
第１プレート４８は、ｎ個の第１開口部４８１と、（ｎ−１）個のガイド部４８２を備えている。第２プレート４９は、（ｎ−１）個の第２開口部４９１と、（ｎ−２）個の板状部４９２を備えている。ただし、ｎは３以上の整数である。第２プレート４９の板状部４９２は、第１プレート４８のガイド部４８２とオフセットする位置に設けられている。
【００４４】
第１プレート４８と第２プレート４９とを重ね合わせることで、第１プレート４８の各部と第２プレート４９の各部は、以下のような位置関係となる。
【００４５】
まず、高さ方向の位置関係について説明する。
【００４６】
ガイド部４８２（図１０中のガイド部４８２Ｘ）の一端は、板状部４９２（図１０中の板状部４９２Ｘ）の一端に近接する。具体的には、第１プレート４８の傾斜部４８２ｂの上端は、板状部４９２の湾曲部４９２１が設けられていない側の端部に近接する。より具体的には、屈曲部４８２ｂ１は、板状部４９２Ｘの湾曲部４９２１が設けられていない側の端部に近接する。屈曲部４８２ｂ１は、板状部４９２Ｘの下面より下方で、湾曲部４９２１の端部より上方に位置する。つまり、板状部４９２Ｘの下面と傾斜部４８２ｂの上端、または、屈曲部４８２ｂ１との間には、所定の第１の隙間Ｃ１（第２の所定の間隔）が形成される。第１の隙間Ｃ１は、湾曲部４９２１の高さ（板状部４９２Ｘと湾曲部４９２１の先端との距離）より小さい。
【００４７】
なお、後述するように、異音の抑制のためには、第１の隙間Ｃ１を設けることが望ましい。しかし、第１の隙間Ｃ１は、無くてもよい。つまり、板状部４９２Ｘと傾斜部４８２ｂとが接していてもよい。また、一部の板状部４９２Ｘと傾斜部４８２ｂとが接しているが、他の板状部４９２Ｘと傾斜部４８２ｂとの間には、第１プレート４８と第２プレート４９のそれぞれの製造上のばらつきによって、隙間が生じていてもよい。
【００４８】
ガイド部４８２Ｘの他端は、ガイド部４８２Ｘの一端が近接する板状部４９２Ｘに隣接する板状部４９２Ｙの他端との間に、第２の隙間Ｃ２（第１の所定の間隔）を有する。板状部４９２Ｙは、板状部４９２Ｘの湾曲部４９２１が設けられていない側に隣接する板状部４９２である。具体的には、ガイド部４８２Ｘの平面部４８２ａの端部（傾斜部４８２ｂが設けられていない側の端部）は、板状部４９２Ｙの湾曲部４９２１の端部との間に、第２の隙間Ｃ２を有する。第２の隙間Ｃ２は、傾斜部４８２ｂの高さに応じて、第１の隙間Ｃ１より大きい。
【００４９】
次に、第１プレート４８および第２プレート４９の長手方向の位置関係について説明する。
【００５０】
第１プレート４８の第１開口部４８１の上方は、図１０に示すように、第２プレート４９の板状部４９２Ｘと第１プレート４８のガイド部４８２Ｘの一部とで覆われる。具体的には、第１開口部４８１の上方は、第２プレート４９の板状部４９２Ｘと第１プレート４８の傾斜部４８２ｂと屈曲部４８２ｂ１とで覆われる。なお、傾斜部４８２ｂが屈曲部４８２ｂ１を備えない場合には、第１開口部４８１の上方は、第２プレート４９の板状部４９２Ｘと第１プレート４８の傾斜部４８２ｂとで覆われる。
【００５１】
また、第２プレート４９の第２開口部４９１の下方は、第１プレート４８のガイド部４８２Ｘの一部で覆われる。具体的には、第２開口部４９１の下方は、第１プレート４８の屈曲部４８２ｂ１と傾斜部４８２ｂと平面部４８２ａとで覆われる。なお、傾斜部４８２ｂが屈曲部４８２ｂ１を備えない場合には、第２開口部４９１の下方は、第１プレート４８の傾斜部４８２ｂと平面部４８２ａとで覆われる。
【００５２】
言い換えると、第１プレート４８のガイド部４８２Ｘの屈曲部４８２ｂ１の先端は、第２プレート４９の板状部４９２Ｘの端部のうちガイド部４８２Ｘの傾斜部４８２ｂ側の端部より、板状部４９２Ｘの短手方向の幅の中央側に位置する。具体的には、ガイド部４８２Ｘの屈曲部４８２ｂ１の先端は、板状部４９２Ｘの湾曲部４９２１が設けられていない側の端部より、湾曲部４９２１側に位置する。なお、傾斜部４８２ｂが屈曲部４８２ｂ１を備えない場合には、ガイド部４８２Ｘの傾斜部４８２ｂの先端が、板状部４９２Ｘの端部のうちガイド部４８２Ｘの傾斜部４８２ｂ側の端部より、板状部４９２Ｘの短手方向の幅の中央側に位置する。または、ガイド部４８２Ｘの傾斜部４８２ｂの先端が、板状部４９２Ｘの湾曲部４９２１が設けられていない側の端部より、湾曲部４９２１側に位置する。
【００５３】
ガイド部４８２Ｘの平面部４８２ａの端部は、ガイド部４８２Ｘの一端が近接する板状部４９２Ｘに隣接する板状部４９２Ｙの端部のうち、ガイド部４８２Ｘの平面部４８２ａ側の端部より、板状部４９２Ｙの中央側に位置する。具体的には、ガイド部４８２Ｘの平面部４８２ａの先端は、板状部４９２Ｙの湾曲部４９２１が設けられた側の端部より、湾曲部４９２１側と反対側に位置する。
【００５４】
次に、第１プレート４８および第２プレート４９と、カバー部材４７との位置関係について説明する。
【００５５】
カバー部材４７は、図８に示すように、通気開口部４７２の短手方向の両側に、下面側に突出する複数の内リブ部４７４を備えている。カバー部材４７は、通気開口部４７２の短手方向の両側に、それぞれ、ｎ個の内リブ部４７４を備えている。本実施の形態では、カバー部材４７は、通気開口部４７２の短手方向の両側端部に、それぞれ、８個ずつの内リブ部４７４を備えている。
【００５６】
内リブ部４７４は、第２開口部４９１の長手方向の両端付近で、第２開口部４９１に挿入される。また、第２プレート４９の板状部４９２は、内リブ部４７４同士の間の凹部に挿入される。第２プレート４９の短手方向の両端の枠（第２開口部４９１の両側部）は、カバー部材４７の内リブ部４７４と外リブ部４７３との間に配置（挿入）される。第２プレート４９の長手方向の両端は、カバー部材４７の外リブ部４７３で覆われる。
【００５７】
第１プレート４８の傾斜部４８２ｂの長手方向の両端は、内リブ部４７４の側面に近接する。また、第１プレート４８の周囲の端部は、カバー部材４７の外リブ部４７３で覆われる。つまり、第１プレート４８および第２プレート４９の周囲の端部は、カバー部材４７で覆われる。
【００５８】
第２プレート４９の板状部４９２と内リブ部４７４同士の間の凹部の底部との間には、所定の隙間が設けられる。第２プレート４９の短手方向の両端の枠とカバー部材４７の内リブ部４７４との間、または、第２プレート４９の短手方向の両端の枠と外リブ部４７３との間には、それぞれ、所定の隙間が設けられる。第１プレート４８の傾斜部４８２ｂの長手方向の両端と内リブ部４７４の側面との間には、所定の隙間が設けられる。第１プレート４８および第２プレート４９の周囲の端部と、カバー部材４７の外リブ部４７３との間には、所定の隙間が設けられる。つまり、カバー部材４７、第１プレート４８および第２プレート４９は、第１プレート４８および第２プレート４９と、カバー部材４７との間に、所定の隙間が設けられ、ビス５０で固定されている箇所以外では、お互いに接触しないように構成されている。
【００５９】
傾斜部４８２ｂは、図９および図１０に示すように、冷蔵庫３０正面側の端部が、背面側の端部より高い位置になるように配置されており、背面側に向かって下方に傾斜するルーバを構成する。傾斜部４８２ｂの傾斜は、水平面に対し４５°以下となることが望ましい。これは、傾斜部４８２ｂの隙間から排出された上部機械室３６の排気が、冷蔵庫３０が設置されている天井に当たる際に、水平との成す角を小さくすることで、よりスムーズに冷蔵庫３０の正面へ排気の向きを変更させるためである。
【００６０】
機械室カバー４２は、中央カバー４３と風上カバー４４と風下カバー４５とが一体化された上で、上部機械室３６を覆うように断熱箱体３１にビスで固定される（図１および図２参照）。
【００６１】
中央カバー４３の上面は、断熱箱体３１に取り付けられた状態で、断熱箱体３１の上面より高い。中央カバー４３の上面と、運搬用把持部４６３（図４参照）の上面と、カバー部材４７の最上部は、略同一高さである。第１プレート４８の平面部４８２ａ（図８〜図１０参照）と、天面通気孔４６１ａ（図５参照）と断熱箱体３１の上面（図１および図３参照）とは、略同一高さである。なお、天面通気孔４６１ａは、上部機械室３６内の部品配置と当たらない適切な寸法を確保できる限り、断熱箱体３１の上面より下げてもよい。また、第１プレート４８の傾斜部４８２ｂ（図９および図１０参照）の長手方向の長さは、運搬用把持部４６３（図４参照）の幅と略同一である。
【００６２】
以上のように構成された冷蔵庫３０について、以下その動作および作用を説明する。
【００６３】
まず、冷蔵庫３０の運転、並びに、上部機械室３６の発熱および排熱について説明する。
【００６４】
冷蔵庫３０が有する貯蔵室を冷却するために圧縮機３９（図１参照）が駆動を始めると、冷凍サイクル回路内の冷媒が圧縮され、圧縮機３９の吐出口に接続された吐出冷媒配管（図示せず）を通り、空冷凝縮器３７（図３参照）へ導入される。そして、圧縮機３９および空冷凝縮器３７が発熱する。
【００６５】
送風機３８が駆動することで、上部機械室３６の風上側が負圧となり、風上カバー４４（図２参照）に設けられた天面通気孔４６１ａまたは背面通気孔４６２ａ（図５参照）を通り、上部機械室３６に、上部機械室３６の外の空気が取り込まれる。取り込まれた空気により、空冷凝縮器３７および圧縮機３９は冷却される。逆に、温められた空気は、風下カバー４５に設けられた天面通気孔４６１ａまたは背面通気孔４６２ａを通り（図４および図５参照）、再び上部機械室３６の外へ排出される。このように、空冷凝縮器３７および圧縮機３９の過度な温度上昇が抑制され、冷蔵庫３０の信頼性が確保されている。
【００６６】
一般的に、温かい空気は上へ流れる性質があるため、上部機械室３６外へ排出された空気は、上方へ流れやすい。特に、システムキッチンなどの限られた空間に冷蔵庫３０が設置される場合は、冷蔵庫３０の左右の側面および背面と対向する壁に近づけて設置されることがある。このような場合、上部機械室３６から排出された温かい空気は、上部機械室３６の上方に滞留しやすい。このとき、上部機械室３６の風上側は、送風機３８の駆動により負圧になっているため、上部機械室３６上方に滞留した温かい空気は、そのまま風上カバー４４から上部機械室３６へ導入される。導入される空気の温度が高いと、空冷凝縮器３７および圧縮機３９の放熱量が減り、部品の温度が上昇し、信頼性を確保できないという問題が発生する。
【００６７】
しかし、本実施の形態では、風下カバー４５に設けられた天面通気孔４６１ａの上方に、複数のガイド部４８２からなるルーバが配置されている。また、ガイド部４８２の傾斜部４８２ｂの傾斜によって、上部機械室３６から吐出される空気を冷蔵庫３０の正面側に流す動圧を与えることができる。このような構成により、上部機械室３６上方に温かい空気が滞留することを抑制し、冷蔵庫３０の正面側へ送り出すことができる。このような構成により、上部機械室３６から排出された温かい空気が、そのまま風上カバー４４から上部機械室３６へ導入されることを抑制でき、冷蔵庫３０の信頼性を高めることができる。
【００６８】
同様に、風上カバー４４に設けられた天面通気孔４６１ａの上方に、複数のガイド部４８２からなるルーバが配置される。このような構成により、風上カバー４４の前方（冷蔵庫３０の正面側）の空気を優先的に上部機械室３６に導入することができる。このような構成により、上部機械室３６上方の空気が上部機械室３６内へ導入されることを抑制することができる。つまり、上部機械室３６から排出され滞留している温かい空気、および、中央カバー４３を通して温められた上部機械室３６上方の温かい空気が、上部機械室３６内へ導入されることを抑制できる。よって、このような構成により、空冷凝縮器３７および圧縮機３９の温度を低下させることができる。
【００６９】
また、天面通気孔４６１ａの上方は、カバー部材４７で覆われている。また、カバー部材４７が有する第１プレート４８の第１開口部４８１の上方は、第２プレート４９の板状部４９２Ｘと第１プレート４８のガイド部４８２Ｘの一部とで覆われている。このような構成により、カバー部材４７に、上方から埃などが落下してきても、天面通気孔４６１ａを介して、上部機械室３６に侵入することを抑制できる。
【００７０】
住宅火災の際に冷蔵庫３０外から飛んでくる火の粉により、上部機械室３６内から断熱箱体３１に火災が広がる虞がある。発泡断熱材３４などにより構成される断熱箱体３１は、燃えやすいため、住宅火災の被害を大きくすることに繋がる虞がある。しかし、天面通気孔４６１ａの上方は、カバー部材４７で覆われ、カバー部材４７が有する第１プレート４８の第１開口部４８１の上方は、第１プレート４８の一部と第２プレート４９の一部とで覆われている。このような構成により、カバー部材４７に上方から火の粉が落下してきても、天面通気孔４６１ａを介して、火の粉が上部機械室３６に侵入することを抑制できる。
【００７１】
また、カバー部材４７の第１プレート４８および第２プレート４９は、それぞれ金属製である。カバー部材４７は、難燃性の樹脂製である。このような構成により、火の粉によって、カバー部材４７が燃えることも抑制できる。
【００７２】
第１開口部４８１の上方に、板状部４９２またはガイド部４８２が配置され、第２開口部４９１の下方に、ガイド部４８２が配置されたルーバを得るために、第１プレート４８および第２プレート４９を一体で成形する場合、成形型を単純な上下抜きにすることができない（単純に上金型と下金型とを使って成型することができない）ため、製造コストが高くなる。
【００７３】
しかし、本実施の形態では、第１プレート４８と第２プレート４９とを重ね合わせることでルーバを形成できる。このような構成により、製造コストを抑制できる。さらに、第１プレート４８および第２プレート４９が金属で形成されることにより、プレス加工で所定の形状を形成できる。よって、このような構成により、より製造コストを抑制できる。
【００７４】
第１プレート４８および第２プレート４９の周囲の端部は、カバー部材４７の外リブ部４７３または内リブ部４７４に覆われる。このような構成により、冷蔵庫３０の使用者や、冷蔵庫３０を運搬するときに作業者の手指などが、第１プレート４８または第２プレート４９の端部に触れて、傷つくことを防止できる。
【００７５】
また、板状部４９２の短手方向の端部の一端には、略円弧状に下面側に折り曲げられた湾曲部４９２１が設けられている。このような構成により、冷蔵庫３０の使用者や、冷蔵庫３０を運搬するときに作業者の手指などが、板状部４９２の端部に触れて、傷つくことを防止できる。
【００７６】
第１プレート４８と第２プレート４９との間には、第１の隙間Ｃ１が設けられている。このような構成により、圧縮機３９の振動が、機械室カバー４２に伝わったとしても、第１プレート４８と第２プレート４９とが接触して、異音を発生することを抑制できる。
【００７７】
また、カバー部材４７と、第１プレート４８および第２プレート４９との間には、所定の隙間が設けられている。このような構成により、圧縮機３９の振動が、機械室カバー４２に伝わったとしても、カバー部材４７と、第１プレート４８または第２プレート４９とが接触して、異音を発生することを抑制できる。
【００７８】
つまり、カバー部材４７と、第１プレート４８と、第２プレート４９とは、ビス５０で固定されている箇所以外では、お互いに接触しないように構成されている。このような構成により、圧縮機３９の振動が、機械室カバー４２に伝わったとしても、異音を発生することを抑制できる。
【産業上の利用可能性】
【００７９】
以上述べたように、本開示は、通気口からの埃などの進入を抑制できる機械室カバーおよびこれを用いた冷蔵庫を提供する。よって、家庭用または業務用の冷蔵庫をはじめ、発熱体を冷却している産業機器等にも適用できる。
【符号の説明】
【００８０】
３０  冷蔵庫
３１  断熱箱体
３２  外箱
３３  内箱
３４  発泡断熱材
３５  真空断熱材
３６  上部機械室
３７  空冷凝縮器
３８  送風機
３９  圧縮機
４０  送風機固定部材
４１  バイパス風路
４２  機械室カバー
４３  中央カバー
４４  風上カバー
４５  風下カバー
４６  ベース部材
４６１  天面部
４６１ａ  天面通気孔
４６２  背面部
４６２ａ  背面通気孔
４６３  運搬用把持部
４７  カバー部材
４７１  枠部
４７２  通気開口部
４７３  外リブ部
４７４  内リブ部
４８  第１プレート
４８１  第１開口部
４８２，４８２Ｘ，４８２Ｙ  ガイド部
４８２ａ  平面部
４８２ｂ  傾斜部
４８２ｂ１  屈曲部
４８３  第１孔
４９  第２プレート
４９１  第２開口部
４９２，４９２Ｘ，４９２Ｙ  板状部
４９２１  湾曲部
４９３  段差部
４９３ａ  第１伸延部
４９３ｂ  第２伸延部
４９４  第２孔
５０  ビス
Ｃ１  第１の隙間（第２の所定の間隔）
Ｃ２  第２の隙間（第１の所定の間隔）
【図１】
2018173988.tif 000003
【図２】
2018173988.tif 000004
【図３】
2018173988.tif 000005
【図４】
2018173988.tif 000006
【図５】
2018173988.tif 000007
【図６】
2018173988.tif 000008
【図７】
2018173988.tif 000009
【図８】
2018173988.tif 000010
【図９】
2018173988.tif 000011
【図１０】
2018173988.tif 000012
【図１１】
2018173988.tif 000013
【国際調査報告】
2018173988.tif 000014
2018173988.tif 000015
2018173988.tif 000016